(57)【特許請求の範囲】
【請求項１】
単一の記憶媒体上の様々な音声項目の実際の配置を特定するＴＯＣ機構を介して前記媒体上に音声中心情報を記憶する方法において、前記ＴＯＣ機構に加え、更に高レベルの音声ファイルを介してファイルベースのアクセス機構を前記音声中心情報に割り当て、次に低いレベルでは機構を介して、論理トラックに従って組織化された１つ以上のファイルを特定の音声エリアに別々に割り当て、前記トラックに含まれる音声項目を専らに示し、後半のトラック間に挿入された休止間隔を示すとともに、前記トラックに含まれる音声項目を示す包括的ファイルを別個に割り当てることを特徴とする方法。
【請求項２】
前記包括的ファイルと組み合わせて前記休止の大きさを示す関連するＴＯＣを用いることを特徴とする請求項１に記載の方法。
【請求項３】
２つのチャンネル音声と多チャンネル音声とに関する別個の前記包括的ファイルを別個にそれぞれ供給することを特徴とする請求項２に記載の方法。
【請求項４】
請求項１に記載の方法を実施することで製造される単一の媒体。
【請求項５】
請求項４に記載され、光学的に読み取り可能なディスクとして実行される媒体。
【請求項６】
請求項４に記載の媒体とインターフェースする記憶及び／又は読み取り装置。
【請求項７】
ディスク保持手段、光学アクセス手段及び前記光学アクセス手段によってディスクトラックを駆動するディスク駆動手段を有する請求項６に記載の装置。
【発明の詳細な説明】
【０００１】
【発明の属する技術分野】
本発明は、単一の記憶媒体上の様々な音声項目の実際の配置を特定するＴＯＣ機構を介して前記媒体上に音声中心情報を記憶する方法に関する。ディスク又はテープのような単一媒体上のディジタル音声記憶は広く普及している。この音声が多数のサブ項目に分割される場合、ＴＯＣ(Table-of-Contents)では、比較的高速なやり方で情報をアクセスできる。一般的に、ＴＯＣは家庭用タイプのプレーヤーにおいてアクセスを容易にするように、少なくとも記憶されたもの及び記憶された場所を特定している。このような音声信号は、様々な拡張された特性を与えることでパーソナルコンピュータ及びそのような物の環境下で使用される。音声プロバイダは様々な複雑さのレベルのプラットフォームに直ちにアクセス可能な情報が欲しい。
【０００２】
結果的に、他の事柄間で、本発明の目的は、相互アクセスを可能にする様々な形式の効果的な音声管理をプレーヤー及びＰＣに可能にさせることである。従って、その特性の一つに従って、本発明は、請求項１の特徴部に従って特徴付けされる。後者のファイル構造を介して、音声トラック間の休止も挿入される。単一トラックをアクセスするコンピュータは、トラックファイルを介して音声適性をアドレッシングするだけでなく、代わりに包括的ファイルを介してもアドレッシングすることでこれが行われる。本発明は、前記方法によって製造された単一の記憶媒体及び上記記憶媒体とインターフェースするように配される記憶又は読み取り装置にも関する。さらに、本発明の有利な特徴は、独立請求項に述べられている。
【０００３】
【発明の実施の形態】
図１ａは、センターホール１０と回転する螺旋パターンで情報層上にほぼ平行な構造を形成するように配された物理トラック１９とを備えるディスク形状記録担体１１を示す。この記録担体は、記録可能又は事前に記録された情報担体を持つ光学ディスクでもよい。ＣＤ−Ｒ、ＣＤ−ＲＷ及びＤＶＤ−ＲＡＭは記録可能であり、オーディオＣＤは事前に記録されている。事前に記録されたディスクは、始めにマスターディスクを記録し、後にコピーをプレスすることで製造可能である。物理トラック１９は、事前にエンボスされた物理構造で示される。この物理トラックは、読み取り／書き込みヘッドが走査中に追従させるプレグルーヴ１４を持つ。この情報は、物理トラックに沿って光学的に検出可能なピット及びランドのようなマークによって前記情報層に記録される。
【０００４】
図１ｂは、記録担体１１のｂ−ｂ線に沿った断面図である。この図において、透明基板１５は、記録層１６及び保護層１７を担持する。プレグルーヴ１４は窪み、高さ又はそれの周囲とは異なる材料特性としてもよい。
【０００５】
使用者の便宜上、記録担体上の音声情報はアルバムの曲又は交響曲の楽章のような数分の時間間隔をしばしば持つ項目に分割される。以下これらは図１の物理トラックに対して（論理）トラックと呼ばれる。前記記録担体は例えばＣＤ−ＲＯＭに関するＩＳＯ９６６０のようなファイルシステムに含まれるＴＯＣ(Table of Contents)のような項目を特定するアクセス情報をしばしば含む。
【０００６】
音声情報は、アナログからディジタルへ変換した後、ディジタル表示で記録される。Ａ／Ｄ変換の実施例は、ＣＤオーディオから既知の４４．１ｋＨｚでサンプリングされた１６ビットのＰＣＭであり、例えばビットストリームと呼ばれる６４×Ｆｓの高いオーバーサンプリング比で１ビットシグマデルタ変調である。後者の高品質な方法は、高品質な復号化と低品質な復号化との間を選択可能にする。これらに関しては、J.J. van der Kam著、文献Ｄ５'A digital decimating filter for analog-to-digital conversion of hi-fi audio signals'及びKirk C.H. Chao他著、文献Ｄ６ 'A higher order topology for interpolative modulators for oversampling A/D converters'の出版物で参照される。Ａ／Ｄ変換後、ディジタル音声は記録用の可変ビットレート音声データに圧縮される。この圧縮された音声データは上記速度で記録担体から読み取られ、伸張後、音声情報を連続して再生するときに本来のタイムスケールが実質的に復元される。故に、前記圧縮されたデータは、この変化するビットレートに依存した速度で前記担体から検索されなければならない。前記データは、例えば前記担体から伸張器への転送データバイトの速度のような転送速度で記録担体から検索される。この記録担体は一定の空間データ密度に高いデータ記憶密度を与えてもよい。上記システムにおいて、前記転送速度は媒体と読み取り／書き込みヘッドとの間の相対線形速度に比例している。
【０００７】
図２は、図１に示された形式の担体１１を読み取る再生装置を示す。この装置は担体１１を回転させる駆動手段２１と物理トラックを走査する読み取りヘッド２２とを有する。位置決め手段２５は、読み取りヘッド２２の大体の半径方向の位置決めを行う。この読み取りヘッドは、光学素子を介して誘導され、情報層上のスポット２３に焦点が集まるビーム２４を発生させる放射線源を備える既知の光学システムを有する。この読み取りヘッドは更に、前記ビームの光軸に沿って放射線２４の焦点を移動させる焦点アクチュエータと、物理トラックの中心に向かう半径方向におけるスポット２３の正確な位置決めをするトラッキングアクチュエータとを有する。このアクチュエータは、光学素子を移動させるためのコイルを有し、反射素子の角度を変化させるのに配されてもよい。情報層で反射された放射線は、トラッキングアクチュエータ及び焦点アクチュエータそれぞれに対するトラッキングエラー信号及び焦点エラー信号を含み、読み取り信号及び他の検出信号を生成するための例えば４象限ダイオード(four-quadrant diode)のような読み取りヘッド２２内の既知の検出器によって検出される。前記データを検索するために、読み取り信号は、読み取りヘッドをチャンネル復調装置及び誤り訂正装置を含む読み取り手段２７で処理される。バッファ２９から、圧縮された音声データが伸張器３１に信号３０として送られる。この信号は外部の伸張器に出力されてもよい。伸張器３１は圧縮された音声データから本来の音声情報を出力３２に再生する。この伸張器は、図２において独立した高品質な音声のアナログ／ディジタル変換器３３内に置いてもよい。代わりに、前記バッファをデータ選択手段の前に置いてもよい。バッファ２９は、別個のハウジングに位置してもよく、伸張器内のバッファと組み合わされてもよい。この装置は、図示していない使用者から又はホストコンピュータから制御命令を受信する制御ユニット２０を更に有し、制御ライン２６を介し駆動手段２０、位置決め手段２５、読み取り手段２７及びデータ選択手段２８に接続され、可能であるならレベル制御を満たすバッファ２９にも接続される。このために、制御ユニット２０はディジタル制御回路を有してもよい。
【０００８】
音声圧縮及び伸張の技術は公知である。ディジタル化の後に、信号の相関関係を解析することで音声が圧縮され、特定の大きさのフラグメントに対するパラメタを製造する。伸張中には、反対の処理が本来の信号を再構築するのに用いられる。本来のディジタル化された信号が正確に再構築される場合、圧縮（伸張）は無損失であるのに対し、損失の多い圧縮（伸張）は、本来の信号の細部を幾らかは再生できない。しかしながらこの信号は実質的に人間の耳又は目では検出不可能である。音声及び映像に関する最も知られたシステム、例えばＭＰＥＧは、損失の多い圧縮を用いているが、無損失の圧縮はコンピュータデータに用いられる。音声の圧縮（伸張）の実施例は、文献Ｄ２，Ｄ３及びＤ４にみられる。
【０００９】
データ選択手段２８は、転送速度プロフィールを示す読み取り制御情報を前記データから検索し、さらに前記速度プロフィールに従って記録している間に加えられた如何なるスタッフィングデータをも処分してしまう。。制御ユニット２０が前記記録担体から音声項目を再生しなければならないとき、位置決め手段２５はＴＯＣを含むトラックの部分に読み取りヘッドを位置決めする。前記項目に関する開始アドレス及び速度プロフィールは、データ選択手段２８を介してＴＯＣから検索される。代わりに、ＴＯＣの内容は、ディスクが前記装置に挿入されたときに、一度だけ読み取られ、メモリに記憶される。前記項目を再生するために、駆動手段２１は前記速度プロフィールで示される速度で記録担体を回転させる。必要とされる回転レートは駆動手段を設定する速度プロフィールだけで示される。代わりに、トラックピッチ及びビット長のような記録担体密度パラメタは既定され、通常は標準から再生装置に対しては既知であるので、前記速度プロフィールはビットレートを有し、回転レートは前記開始アドレスに基づくような前記項目の半径方向の位置から計算される。次いで、この回転レートはビットレート及び前記半径位置から得られる。
【００１０】
バッファがアンダーフロー又はオーバーフローすることなく連続的な再生を提供するために、転送速度は伸張後のビットレートのようなＤ／Ａ変換器の再生速度に結合される。前記装置は、伸張器を制御するための基準周波数源を有し、回転レートは基準周波数及び速度プロフィールに依存して設定されてもよい。前記回転レートは、例えば前記バッファが平均して５０％以上満たされている場合、回転レートが減少するように、バッファ２９の平均的充填レベルを用いて調節することも可能である。
【００１１】
図３は、書き込み（追記）可能な形式の担体１１上に情報を書き込む記録装置を示す。書き込み中、情報を再生するマークが記録担体上に形成される。これらマークは、如何なる光学的に読み取り可能な形態、例えば染料、合金又は位相変化のような材料に記録することを介して、その反射係数が周囲とは異なるエリアの形態又は、それら周囲とは異なる磁化方向を持つエリアの形態でもよい。光学ディスクに記録する書き込み及び読み取り情報と、フォーマッティング、誤り訂正及びチャンネル符号化に関する使用可能な規則とは、例えばＣＤシステムから公知である。マークは電磁レーザー放射線のビーム２４を介して記録層上に製造されるスポット２３を通じて形成される。この記録装置は図２を参照して説明した同様の基本要素、例えば制御ユニット２０、駆動手段２１及び位置決め手段２５を有するが、特有の書き込みヘッド３９を有する。音声情報は圧縮手段３５の入力部に与えられ、これは別個のハウジングに置かれてもよい。適当な圧縮については、文献Ｄ２、Ｄ３及びＤ４に記載されている。この圧縮手段３５の出力上で音声を圧縮した可変ビットレートがバッファ３６に送られる。このデータは、バッファ３６からスタッフィングデータと他の制御データとを加える組み合わせ手段３７に与えられる。全体のデータストリームは記録する書き込み手段３８に送られる。書き込みヘッド３９は、フォーマッタ、誤り符号化器及びチャンネル変調器を有する書き込み手段３８によって与えられる。書き込み手段３８の入力部に存在するデータは、フォーマッティング規則及び符号化規則に従って論理及び物理セクタにわたり分配され、書き込みヘッド３９に対する書き込み信号に変換される。ユニット２０は、制御ライン２６を介してバッファ３６、データ組み合わせ手段３７及び書き込み手段３８を制御し、前記読み取り装置に対する上述の位置決め手順を実施するように配される。この記録装置は、再生装置及び組み合わされた書き込み／読み取りヘッドの特徴を持つことで読み取らせる。
【００１２】
図４は、本発明を使用したファイルシステムを示す。これに関し、原則とてしては、様々な異なったオプションも実行可能である。好ましくは、記憶媒体はＵＤＦ又はＩＳＯ９６６０ファイルシステムに基づくべきである。代わりの場合、ファイルシステムは存在せず、全ての適切なセクタ空間は空となるべきである。
【００１３】
しかしながらファイルシステムが存在する場合、全音声は、サブディレクトリSUB_AUDIOに位置する音声ファイルに記憶される。図４は様々な下層ファイル５２、５４、５６、６７に向いているROOTファイル５０を基とすべき階層を有している。相互に同一なMASTER.TOC５２の構造は後に説明する。更に、2CH_AUDIOファイル５４が存在する。これは、相互に同一なエリアＴＯＣ、これらと並列な2C_AREA1/2.TOC５８、５９、様々なステレオトラックTRACKn.2CH６０及びエリアファイル2C_TAREA.2CH６１も指している。更に、MC_AUDIOファイル５６も存在する。これは相互に同一なエリアＴＯＣ、2C_AREA1/2.TOC５８、５９、これらと並列する様々なステレオトラックTRACKn.2CH６０及びエリアファイル2C_TAREA.2CH６１に向いている。更にMC_AUDIOファイル５６も存在する。これは、相互に同一なＴＯＣ、MC.TOC６２、６３、これらと並列する様々な多チャンネルトラックTRACKn.MCH６４及びエリアファイルMC_TAREA.MCH６５にも向いている。結果的に、これらトラックは関連するＴＯＣ又はＴＯＣ及び副ＴＯＣをディレクトリとして持つファイルの一方を介してアクセスされる。ファイル６０、６４はそれぞれ関連するトラックの音声のみを参照するが、ファイル６１、６５は図６を参照して以下に述べるであろう関連するトラックの休止間隔に向いている。最後に、ファイル項目６７は記憶された画像情報を示している。
【００１４】
図５は本発明を用いた代表的な記憶配列を示す。これは単一のシリアル表示で示されている。水平軸に沿って、後続する項目が明らかとなる。項目１２０は読み取り装置と媒体の駆動とを相互に同期させるのに用いるLead-inである。File System１２２は図４に関して述べられたことを表す。MASTER TOC項目１２４は、標準的な手順に沿って構成され、後続する項目Stereo Area１２６及びMulti-channel Audio Item１２８、必要ならExtra DataItem１３０にも付随する。様々な異なる情報量が存在するので、これら３つのエリアの長さを統一する必要はない。音声エリアに関し、音声トラックエリアは適当であり、同様に関連するSUB_TOCも含まれる。以下に開示されるのとは別に、項目１２６、１２８、１３０の内容は、それ自体では本発明の一部を構成しない従来の基準に従って定めされてもよい。一般的には、様々なチャンネルに対する特徴的な定義を持つこととは別に、２つの音声エリアは同じ構造を持ち、同じ種類の情報を含む。音声はプレーン符号化又は無損失符号化である。全ての種類の音声は、例えばコンパクトディスクテキストのような補足データでマルチプレクサされてもよい。
【００１５】
項目１３０は従来の基準で定められるExtra Data Informationを示す。Lead-Out Information１３２は特に調査操作に用いられる。これのトラックはトラック番号及びアドレス以外の他の情報を含まない。読み取りトラック数は約０．５から１ミリメータ幅のリングを覆う。上記に従って、記憶された情報は項目１２２に置かれたファイルシステム又は項目１２４に置かれたＴＯＣ構造の一方を介してアクセスされる。
【００１６】
如何なる単一又は複数のMaster TOC１２４は、例えば最初のMaster TOCに対するバイト数５００のようなLead-inエリアの開始からそれぞれの一様に標準化されたオフセット位置で始まる。本実施例において、Master-TOCは、標準化セクタを１つだけ測定し、以下に説明される様々なSub-TOC又はArea-TOCへのポインタを最初に含む。このMaster-TOCの好ましい配列(syntax)は以下のようである。
１．１６バイトのSignatureは、例えば“SACD Master TOC”でMaster TOCを特定する。このSignatureは、３つの空間文字を含む、つまりアポストロフィは定義の一部ではない。
２．２バイトのSpec_versionは、ディスクに用いられるフォーマットのバージョン番号を示す。
３．１４バイトのSpaceは、例えばアライメントスタッフィング用に残される。
４．４バイトの整数、2CH-start_addressは、ステレオエリアの第１セクタの論理アドレスを含んでいる。
５．４バイトの整数、2CH-end_addressは、ステレオエリアの最終セクタの論理アドレスを含んでいる。
６．４バイトの整数、MC-start_addressは、多チャンネルエリアの第１セクタの論理アドレスを含んでいる。
７．４バイトの整数、MC-end_addressは、多チャンネルエリアの最終セクタの論理アドレスを含んでいる。
８．４バイトの整数、Extra_data_start_addressは、このエキストラデータエリアの第１セクタの論理アドレスを含んでいる。
９．４バイトの整数、Extra_data_end_addressは、このエキストラデータエリアの最終エリアの論理アドレスを含んでいる。
【００１７】
上述の情報は、合計５６バイトである。エキストラの特性をMaster-TOCに加えてもよい。あるエリアが欠けている場合、それに関連する開始及び最終アドレスは値０を有する。
【００１８】
次いで、項目１２６及び１２８は、それぞれステレオ及び多チャンネル音声間隔に対するSub-TOC又はArea-TOCを含んでいる。Sub-TOCの好ましい配列は以下のようである。
１．１６バイトのSignatureは、例えばステレオ音声エリアに対する“SACD stereo TOC”及び 多チャンネル音声エリアに対する“SACD MC TOC”によって当該Sub-TOCを特定し、バイト数はトレーリング空間文字を加えることで付随される。
２．２バイトのSpec_versionはディスクに用いられるフォーマットのバージョン番号を示す。
３．４バイトのSub_TOC_lengthは、実際のＴＯＣに存在するバイト数を示す。
４．１０バイトのSpaceはアライメントスタッフィング用に残される。
５．/*Disc Parameters*/の可変サイズのセットが、例えばName of album()及びName of Catalogue()を与える。
６．４バイトのdisc_play_timeは、時間コードとして進行するディスクの合計線形再生時間を示す。
７．４バイトのdisc_name_pointerは、当該Sub_TOCの開始からdisc_name()の開始までのオフセットをバイト表示する。この値が０である場合、disc_name()領域が欠けていることを示す。
８．４バイトのdisc_date_pointerは、当該Sub_TOCの開始からdisc_date()領域の開始までのオフセットをバイト表示する。この値が０である場合、disc_date領域が欠けていることを示す。
９．４バイトのdisc_copyright_pointerは、当該Sub_TOCの開始からdisc_copylight()の開始までのオフセットをバイト表示する。このdisc_copylight()領域が欠けていることを示すためにこの値を０としてもよい。
１０．４バイトのdisc_publisher_pointerは、当該Sub_TOCの開始からdisc_publisher()領域の開始までのオフセットをバイト表示する。このdisc_publisher()領域が欠けていることを示すためにこの値を０としてもよい。
１１．可変サイズのTrack_List()は、トラック名のような聞き手に興味のある様々な更なる項目にプラスして、複数の音声トラックの各１つに対しオフセット情報を当該ＴＯＣの開始に含めてもよい。
【００１９】
Track_List_1は、以下のことを含む。
１２．８バイトのTrack_List_1_Signatureは、Track_List_1を持つセクタを特定する。
１３．現在の音声エリアにおけるトラック番号ｔｎｏを持つ全ての音声トラックに対する４バイトのTrack_Start_Address（ｔｎｏ）は、このトラックの第１セクタの論理アドレスを含んでいる。
１４．現在の音声エリアにおけるトラック番号ｔｎｏを持つ全ての音声トラックに対する４バイトのTrack_length（ｔｎｏ）は、このトラックのセクタの長さを含んでいる。
【００２０】
Track_List_2は以下のものを含んでいる。
１５．８バイトのTrack_List_2_Signatureは、Track_List_2を持つセクタを特定する。
１６．トラック番号ｔｎｏを持つ全ての音声トラックに関するTrack_Start_Time_Code（ｔｎｏ）は、このトラックの開始Time_Codeを与える。
１７．トラック番号ｔｎｏを持つ全ての音声トラックに関するTrack_Time_Length（ｔｎｏ）は、このトラックの再生時間を与える。
【００２１】
図６は、詳細なトラック組織であり、特に６１、６５に対するファイル６０、６４の２つのカテゴリーに関する組織である。本実施例において、記憶エリアは４つの音声トラック１４０、１４２、１４４、１４６を含んでいる。各トラックは、非一様な長さの音声情報量Ａを含んでいる。その上、連続する音声間隔の各組は、Ｐとラベル付けされた休止間隔毎に分離される。この休止間隔の長さは記録担体の開発者によって設定され、先行するトラック及び／又は次に続くトラックの特定文字を参照して選択される。この長さは、例えばそれぞれの音の大きさ、ビート周波数、記事又は文字、作曲家及びスタイルにおける違いのような様々な考察に依存し、特定の担体に対して一様とする必要はない。長さが０の休止は原則として実現可能である。最終トラックは通例次の休止間隔は持たない。
【００２２】
各トラックＡに対し、開始位置の長さ及び他の情報が、このトラックが属している音声エリアのArea-TOCに与えられる。図６に指標１４８で表されるトラックＡ及び休止間隔Ｐの記憶エリアはTime_Codeを含んでいる。このTime_Codeは休止間隔Ｐの開始において０で始まる。１／７５秒ずつ記憶エリアの最後まで増大するこのTime_Codeは、１４８である。１／７５秒の時間単位は、いわゆるフレームと呼ばれている。Time_Codeは、マルチプレクサされたフレームに符号化される。記憶エリア１４８における全てのトラック及び全ての休止間隔は、１で始まって連続して番号付けされる。
【００２３】
ここで、コンピュータ処理のような単一の分離トラックのみをアクセスし、又は任意の順序で再生するために、通常は音声適性のみが関連する。このような状態において、再生は前記休止より先行し、独立したやり方でこれらを設定する。結果的に、図４のファイル６０、６４は、孤立している関連するトラック音声部分に専ら向けられる。上記は図６において指標１４８で示され、音声を排他的に覆う。他方では他のモードでの使用は、セクタ毎に前記エリアを再生する。これは原則として、如何なるファイルも参照することなく行われる。しかしながら、本発明者らは、整合性(consistence)の理由によって、ファイルシステムが適切であるが、美観的又は他の知覚論理のために休止を見落とすべきではないと気付いた。従って、分離ファイルは、休止も含めて、全体として前記エリアに割り当てられ、これは付加指標１５０によってシンボル化され、図４の項目６１、６５に含まれる。関連するエリアＴＯＣは、当該休止のサイズと次の音声トラックが始まる場所を示す。先行する手段は、音声のアクセスが他のトラックファイル又は代わりに包括的ファイル及び関連するＳｕｂ−ＴＯＣを用いて直接行われる。
【００２４】
関連文献リスト
（Ｄ１）Research Disclosure No. 36411, August 1994, p. 412-413
（Ｄ２）PCT/IB97/01156(PHN16.452), 1 bit ADC and lossless compression of audio
（Ｄ３）PCT/IB97/01303(PHN16.405), Audio compressor
（Ｄ４）EP-A 402,973(PHN13.241), Audio compresson
（Ｄ５）J.J. van der Kam 'A digital decimating filter for analog-to-digital conversion of hi-fi audio signals', Philips Techn. Rev. 42, No 6/7, April 1986, pp. 230-8
（Ｄ６）Kirk C.H. Chao et al, 'A higher order topology for interpolative modulators for oversampling A/D converters', IEEE Tr. On Circuits and Systems, Vol 37, No 3, March 1990, pp. 309-18
【図面の簡単な説明】
【図１】図１ａ及び図１ｂは記録担体である。
【図２】図２は再生装置である。
【図３】図３は記録装置である。
【図４】図４は本発明を用いたファイルシステムである。
【図５】図５は本発明を用いた記憶装置である。
【図６】図６は詳細なトラック組織である。
【符号の説明】
１０  センターホール
１１  記録担体
１３  螺旋パターン
１４  プレグルーヴ
１５  透明基板
１６  記録層
１７  保護層
１９  物理トラック
【図１ａ】
0003918038.tif 000002
【図１ｂ】
0003918038.tif 000003
【図２】
0003918038.tif 000004
【図３】
0003918038.tif 000005
【図４】
0003918038.tif 000006
【図５】
0003918038.tif 000007
【図６】
0003918038.tif 000008